(57)【要約】【課題】ホチキスの金属製の針を用いて綴じた書類を積み上げると、針の厚みで綴じ側が分厚くなってしまったり、シュレッダーにかけたり再生紙にする時、金属針の回収が必要になる、また紙テープは剥離紙を使っているので使用後はゴミになり接着強度も強く出来ない。針穴から接着剤を浸透させる場合は針溝に接着剤が詰まったり、針周りに液ダレが出来たりと接着剤自体の調合が難しく、また、使わない時の管理が難しい欠点があった。【解決手段】紙を綴じるために穿孔パンチの形状を、一部分が繋がって残る舌状形の、コの字形や三ヶ月形等のパンチとダイで穿孔された紙片の抜側のパンチで押し出された部分に接着剤が噴霧され、パンチが戻ると、押し出されて接着剤の着いた穿断面も元に戻ろうとした時、穿断面に接着剤が浸透し固化させ穿孔部が接着部に変わり紙綴じ作業ができる。【選択図】図１
2006015617.tif 000002
【特許請求の範囲】
【請求項１】
複数枚数の紙を綴じるために穿孔パンチの形状を、一部分が繋がって残る舌状形の、コの字形や三ヶ月形等のパンチとダイで穿孔された紙片の抜側のパンチで押し出された部分に接着剤が噴霧され、パンチが戻ると、押し出されて接着剤の着いた穿断面も元に戻ろうとした時、穿断面に接着剤が浸透し固化させ穿孔部が接着部に変わり紙綴じ作業ができる器具又は装置。
【発明の詳細な説明】
【技術分野】
【０００１】
本発明は，書類束等の各種の被綴じ体に、穿孔パンチによって穴を明け接着剤を噴霧する事で紙を綴じる綴じ具に関する。
【背景技術】
【０００２】
書類束を綴じるには、一般的にホチキス型のステープラーを使ったものが多く普及して、その欠点を補う為に、紙テープを巻きつけるタイプや針穴から接着剤を浸透させるタイプ等が考えられている。
【特許文献１】特公昭６２−３９１１６号公報，特開平０８−３９９５９号公報，特開平１０−０００８７１号公報，特開２００３−２００６７５号公報
【発明の開示】
【発明が解決しようとする課題】
【０００３】
解決しようとする問題点は、ホチキスの金属製の針を用いて綴じた書類を積み上げると、針の厚みで綴じ側が分厚くなってしまったり、シュレッダーにかけたり再生紙にする時、金属針の回収が必要になる、また紙テープは剥離紙を使っているので使用後はゴミになり接着強度も強く出来ない。針穴から接着剤を浸透させる場合は針溝に接着剤が詰まったり、針周りに液ダレが出来たりと接着剤自体の調合が難しく、また、使わない時の管理が難しい欠点があった。
【課題を解決するための手段】
【０００４】
紙を綴じるために穿孔パンチの形状を、一部分が繋がって残る舌状形の、コの字形や三ヶ月形等のパンチとダイで穿孔された紙片の抜側のパンチで押し出された部分に接着剤が噴霧され、パンチが戻ると、押し出されて接着剤の着いた穿断面も元に戻ろうとした時、穿断面に接着剤が浸透し固化させ穿孔部が接着部に変わり紙綴じ作業ができる。
【発明の効果】
【０００５】
書類等の被綴じ体より出っ張る事無く、ゴミを出さず、綴じ体がバラける事も無く、且つ余分な接着剤で汚す事無く、確実に書類等、綴じ体を綴じることが出来る。
【発明を実施するための最良の形態】
【０００６】
複数枚数の紙を綴じるのに一般的なホチキスや、動作としてパンチで穴を明ける程度の操作で紙が綴じられ，且つ複雑な機構にならない器具にする為に従来技術で確立された機構を活かし穿孔パンチの形状を、一部分が繋がって残る舌状形の、コの字形や三ヶ月形等のパンチに仕上げ、パンチとダイで穿孔された紙片の抜側の残り繋がる部分がダイの中にパンチで押し込められ、パンチで打ち抜かれた面が階段状にダイ側に開放された部分に接着剤が噴霧され（繋がった舌状部は仕切板でカバーされる）、パンチと穿断面に付着する程度に接着剤を噴霧する。
【０００７】
噴霧式接着剤は、いろんなメーカーが市販していて、ノズル部の作りも完成されており、吹き・切りが良い。そのノズル部に少し手を加える事で市販品の噴霧式接着剤がそのまま使え、パンチが戻る時、パンチに付いた接着剤は紙片側に擦り取られ、押し出されて接着剤の着いた穿断面も元に戻ろうとした時、穿断面の周辺に接着剤が浸透し、書類等の被綴じ体を引き出す事で、ピンチローラに依り穿断面が元の打ち抜き面に戻り、固化させ穿孔部が接着部に変わり紙綴じ作業が終了する。
【実施例１】
【０００８】
図１は、本発明装置の１実施例の拡大図であって、３〜８，１３，１８，２４，２５は、図３の符号も同様であり、図３で説明すると、机上でも，手に持っても使い易い様出来たホルダー（１）に容器受（２）が固定されそこに、ノズル穴（４）がパンチ方向の状態で接着剤容器（３）が挿入される。接着剤容器（３）が交換出来る様に、脱着出来るエンドキャップ（２３）で保持する。
【０００９】
また、パンチガイド《A》(５）をホルダー（１）に固定し、パンチ（６）がスムースに動く様、接着剤の付かない材質のパンチガイド《B》（７）が取り付けられる。そして、パンチガイド《A》（５）にレバー（９）がピン《A》（１０）で支持され芯間に、ばね《A》（１２）を装着し、レバー操作に復元性を持たせる。
【００１０】
復元性のあるレバー（９）に、ピン《B》（１１）で支持されたパンチ（６）はガイドに依りガタツキ無く往復運動ができ、ホルダー（１）に固定されたダイ（８）との間で、紙束片（２５）に舌状形の穿孔が施工された後、レバー（９）の爪部でノズルプッシュレバー（１５）が押されピン《F》（２１）で支持されたレバーは揺動してノズル先端を押す。
【００１１】
ノズル先端が押されることで、ノズル穴（４）から接着剤が噴霧され、接着剤の不必要な所は、仕切板（２４）で保護され、パンチ（６）が戻る時、噴霧は終了しパンチ（６）の刃先に付いた接着剤は紙片側に擦り取られ、押し出されて接着剤の着いた穿断面も元に戻ろうとした時、穿断面の周辺に接着剤が浸透する。そこで、パンチ（６）が戻ればすぐに、書類等の被綴じ体を引き出す事が出来る。
【００１２】
ノズルプッシュレバー（１５）が動作すると、ピンチレバー（１６）のフックが外れ、ばね《B》（１７）で押され、ピン《D》（１９）で支持された、ピンチローラ（１８）に依り、ピン《C》（１４）で支持された、固定ローラ（１３）との間に、書類等の被綴じ体が押し挟まれ、穿断面が元の打ち抜き面に戻り、固化させ穿孔部が接着部に変わり紙綴じ作業が終了する。
【００１３】
ピンチレバー（１６）は、ピン《E》（２０）でホルダー（１）に支持され、フロントキャップ（２２）からレバーが出ており、綴じ操作前に、ピンチローラと固定ローラに隙間を確保する。
【産業上の利用可能性】
【００１４】
以上の事からも、本発明の単純操作性と書類等の被綴じ体より出っ張る事無く、ゴミを出さず、綴じ体がバラける事も無く、且つ余分な接着剤で汚す事無く、確実に書類等、綴じ体を綴じることが出来る。
【図面の簡単な説明】
【００１５】
【図１】接着剤噴霧綴じ具の１実施例の拡大図である。（実施例１）
【図２】接着剤噴霧綴じ具の１実施例の斜視透視図である。（実施例１）
【図３】接着剤噴霧綴じ具の１実施例の斜視部品展開図である。（実施例１）
【符号の説明】
【００１６】
１    ホルダー
２    容器受
３    接着剤容器
４    ノズル穴
５    パンチガイド（A)
６    パンチ
７    パンチガイド（B)
８    ダイ
９    レバー
１０  ピン（A)
１１  ピン（B)
１２  ばね（A)
１３  固定ローラ
１４  ピン（C)
１５  ノズルプッシュレバー
１６  ピンチレバー
１７  ばね（B)
１８  ピンチローラ
１９  ピン（D)
２０  ピン（E)
２１  ピン（F)
２２  フロントキャップ
２３  エンドキャップ
２４  仕切板
２５  紙束片
【図１】
2006015617.tif 000003
【図２】
2006015617.tif 000004
【図３】
2006015617.tif 000005